(57)【要約】【課題】従来は、記録映像信号が日付が重要な意味を持つか否かに関係なく、サムネイルの一覧表示あるいはカレンダー表示だけで選択再生画像指示の画面を表示しているため、一目で所望の撮影画像を見つけにくく、操作性に難がある。【解決手段】受信手段７からのテレビジョン放送の映像信号の記録時は分類ＢとしてＨＤＤ１０に記録される。分類Ｂに属する映像信号は、再生時にはサムネイル一覧画面で選択される。一方、外部入力端子２に入力された撮影者にとって日付が重要な意味を持つ場合も多いカメラレコーダやデジタルカメラにより撮影した映像信号は、分類ＡとしてＨＤＤ１０に記録される。分類Ａに属する映像信号は、再生時にはカレンダー画面で選択させることで、撮影画像を見つけ易くできる。また、テレビジョン番組の録画に関してはサムネイルを順に表示した中から選択するので、ユーザーに分かりやすい再生選択方法を与えることができる。【選択図】            図１
2004297649.tif 000002
【特許請求の範囲】
【請求項１】
第１の記録操作により記録媒体上に記録した映像信号と、前記第１の記録操作とは異なる第２の記録操作により前記記録媒体上に記録した映像信号とを、前記記録媒体から再生する映像信号記録再生装置であって、
前記第１の記録操作により記録する映像信号を第１の分類の映像信号として前記記録媒体に記録する一方、前記第２の記録操作により記録する映像信号を前記第１の分類とは異なる第２の分類の映像信号として前記記録媒体に記録する記録手段と、
前記記録媒体に記録されている映像信号を再生する再生手段と、
前記記録媒体に記録されている映像信号の中から前記第１の分類である所望の映像信号を再生するために、前記第１の分類である各映像信号の代表画像を、内蔵又は外部に接続された表示装置に一覧表示させる第１の選択画像表示手段と、
前記記録媒体に記録されている映像信号の中から前記第２の分類である所望の日付を有する映像信号を再生するために、複数の日付を示す複数の区画が配置された画像を、前記表示装置に表示させる第２の選択画像表示手段と、
前記第１の選択画像表示手段による前記代表画像の一覧表示と前記第２の選択画像表示手段による複数の区画の表示の一方を選択し、更に前記一覧表示を選択したときは複数の代表画像の中の任意の代表画像を選択指示し、前記複数の区画の表示を選択したときはその複数の区画のうち任意の日付の区画を選択指示する選択指示手段と、
前記選択指示手段により選択指示された前記代表画像に対応した映像信号、又は選択指示された前記任意の区画の日付に対応した映像信号を、前記記録媒体から再生するように前記再生手段を制御する制御手段と
を有することを特徴とする映像信号記録再生装置。
【請求項２】
前記記録手段は、前記第２の分類である映像信号として、静止画像信号と動画像信号とを記録する手段であり、
前記第２の選択画像表示手段は、二次元に配置された各日付を示す複数の区画のうち、前記記録媒体に記録されている前記第２の分類である映像信号に対応した日付の区画に、前記静止画像信号と動画像信号とを識別するよう設定された形状のアイコンを表示する手段であることを特徴とする請求項１記載の映像信号記録再生装置。
【請求項３】
第１の記録操作により記録媒体上に記録した映像信号と、前記第１の記録操作とは異なる第２の記録操作により前記記録媒体上に記録した映像信号とを、前記記録媒体から再生する映像信号記録再生装置であって、
前記第１の記録操作により記録する映像信号を第１の分類の映像信号として前記記録媒体に記録する一方、前記第２の記録操作により記録する映像信号を前記第１の分類とは異なる第２の分類の映像信号として前記記録媒体に記録する記録手段と、
前記記録媒体に記録されている映像信号を再生する再生手段と、
前記記録媒体に記録されている映像信号の中から前記第１の分類である所望の映像信号を再生するために、前記第１の分類である各映像信号のタイトルを、内蔵又は外部に接続された表示装置に一覧表示させる第１の選択画像表示手段と、
前記記録媒体に記録されている映像信号の中から前記第２の分類である所望の日付を有する映像信号を再生するために、複数の日付を示す複数の区画が配置された画像を、前記表示装置に表示させる第２の選択画像表示手段と、
前記第１の選択画像表示手段による前記タイトルの一覧表示と前記第２の選択画像表示手段による複数の区画の表示の一方を選択し、更に前記一覧表示を選択したときは複数のタイトルの中の任意のタイトルを選択指示し、前記複数の区画の表示を選択したときはその複数の区画のうち任意の日付の区画を選択指示する選択指示手段と、
前記選択指示手段により選択指示された前記タイトルに対応した映像信号、又は選択指示された前記任意の区画の日付に対応した映像信号を、前記記録媒体から再生するように前記再生手段を制御する制御手段と
を有することを特徴とする映像信号記録再生装置。
【発明の詳細な説明】
【０００１】
【発明の属する技術分野】
本発明は映像信号記録再生装置に係り、特にテレビジョン番組などの映像信号と、カメラ一体型ビデオレコーダ等でユーザーが自分で撮影して得た映像信号とを同じ記録媒体に混在して録画し、録画映像情報を小画面（サムネイル）で表示して任意の録画映像情報を選択再生する映像信号記録再生装置に関する。
【０００２】
【従来の技術】
映像信号を記録媒体に記録し再生する映像信号記録再生装置として、近年ハードディスクレコーダやＤＶＤ（Ｄｉｇｉｔａｌ  Ｖｅｒｓａｔｉｌｅ  Ｄｉｓｃ）レコーダが発売されている。特に、これらの映像信号記録再生装置においては、再生する映像信号をユーザーが選択するために、記録されている映像信号を代表する小画像（サムネイル）を複数個、画面上に表示して、その中からユーザーが任意のサムネイルを選択することが行われている。
【０００３】
その際、複数個のサムネイルを画面上に並べる配列順としては、記録日時順、ジャンル順などが考えられる。この場合、記録日時順であっても、単にサムネイルを順に並べるだけであって、日付と曜日を２次元的に表したカレンダー状の表の上にサムネイルを配置するわけではないのが普通である。これは、テレビジョン放送番組や、最近急速に発展しつつあるブロードバンドネットワークを通じて得たコンテンツの場合には、何時入手したかはユーザーにとってあまり大きな意味があるものではなく、せいぜい最近録画したものか、或いはかなり以前に録画したものかといった大雑把な時期が、強いて言えば検索の手がかりになる程度であるため、カレンダー状の表示があまり意味をなさないからである。
【０００４】
一方、ユーザー自身が撮影したデジタルカメラによる静止画や、カメラレコーダによる動画像おいては、撮影日時が重要な意味を持つ。そこで、従来はデジタルカメラについて、撮影した画像のリストをカレンダー状に配置する技術が提案されている（例えば、特許文献１参照）。すなわち、この特許文献１には、記録されている撮影画像の縮小画像（サムネイル）を期間毎にカレンダー表示し、その中の所望の画像をポイントすることにより撮影画像を再生／表示する構成が開示されている。
【０００５】
【特許文献１】
特開平１１−２１５４５７号公報
【０００６】
【発明が解決しようとする課題】
ところで、ハードディスクレコーダの様な、大容量の記録媒体を用いて多くの映像信号を蓄えて適宜所望の映像情報を再生する記録再生装置においては、テレビジョン放送番組などのコンテンツを記録するだけでなく、カメラレコーダで撮影した動画像の映像信号や、デジタルカメラで撮影した静止画信号をも保存することができ、適宜選択して再生することが可能である。
【０００７】
ここで、記録する映像信号は、特に動画像の映像信号の場合、セットトップボックス等により受信されて外部入力端子から入力された映像信号であるのか、カメラレコーダで撮影して外部入力端子から入力された動画像の映像信号であるのか、受信手段で受信された動画像の映像信号であるのかなど、入力端子や信号形態においては特に区別されるものではない。従って、ハードディスクレコーダのような従来の映像信号記録再生装置では、外部入力端子を通じて記録したカメラレコーダ等による撮影画像か、内蔵受信部やセットトップボックス等で得たテレビジョン番組の動画像かは特に区別されることなく記録され、再生操作においては、記録した内容がいずれであるかにかかわらず、ハードディスクへの記録順などでサムネイルとして表示されるものであった。
【０００８】
このため、従来の映像信号記録再生装置では、カメラレコーダで撮影した動画像は、撮影者にとって日付が重要な意味を持つ場合も多い（例えば、誕生日、旅行など）にもかかわらず、テレビジョン番組の録画内容のサムネイルに混ざって表示されたカメラレコーダで撮影した動画像のサムネイルを選択することになり、一目で所望の撮影画像を見つけにくく、選択操作に煩わしさがある。
【０００９】
他方、特許文献１に記載された従来の映像信号記録再生装置では、カレンダー表示のみに対応しており、記録した映像信号がユーザーにとって日付が重要な意味をもたないようなテレビジョン番組などの映像信号であってもカレンダー上に表示されてしまい、ユーザーにとって分かり難いという問題がある。
【００１０】
本発明は上記の点に鑑みなされたもので、テレビジョン番組などの映像信号を録画した場合と、カメラ一体型ビデオレコーダ等のカメラレコーダでユーザーが自分で撮影して得た映像信号を録画した場合とで、再生時の選択方法をそれぞれに適したものにする映像信号記録再生装置を提供することを目的とする。
【００１１】
【課題を解決するための手段】
上記の目的を達成するため、本発明の映像信号記録再生装置は、第１の記録操作により記録媒体上に記録した映像信号と、第１の記録操作とは異なる第２の記録操作により記録媒体上に記録した映像信号とを、記録媒体から再生する映像信号記録再生装置であって、第１の記録操作により記録する映像信号を第１の分類の映像信号として記録媒体に記録する一方、第２の記録操作により記録する映像信号を第１の分類とは異なる第２の分類の映像信号として記録媒体に記録する記録手段と、記録媒体に記録されている映像信号を再生する再生手段と、記録媒体に記録されている映像信号の中から第１の分類である所望の映像信号を再生するために、第１の分類である各映像信号の代表画像を、内蔵又は外部に接続された表示装置に一覧表示させる第１の選択画像表示手段と、記録媒体に記録されている映像信号の中から第２の分類である所望の日付を有する映像信号を再生するために、複数の日付を示す複数の区画が配置された画像を、表示装置に表示させる第２の選択画像表示手段と、第１の選択画像表示手段による代表画像の一覧表示と第２の選択画像表示手段による複数の区画の表示の一方を選択し、更に一覧表示を選択したときは複数の代表画像の中の任意の代表画像を選択指示し、複数の区画の表示を選択したときはその複数の区画のうち任意の日付の区画を選択指示する選択指示手段と、選択指示手段により選択指示された代表画像に対応した映像信号、又は選択指示された任意の区画の日付に対応した映像信号を、記録媒体から再生するように再生手段を制御する制御手段とを有する構成としたものである。
【００１２】
この発明では、記録時においては、記録操作に応じて第１の分類又は第２の分類の映像信号を区別して記録し、第１の分類の映像信号の選択再生時にはその各映像信号の代表画像を、内蔵又は外部に接続された表示装置に一覧表示させて、その中の任意の代表画像を選択指示し、第２の分類の映像信号の選択再生時には、複数の日付を示す複数の区画が配置された画像を上記の表示装置に表示させて、複数の区画のうち任意の日付の区画を選択指示することにより、複数の記録映像信号の中から容易に選択再生ができる。
【００１３】
ここで、上記の記録手段は、第２の分類である映像信号として、静止画像信号と動画像信号とを記録する手段であってもよく、上記の第２の選択画像表示手段は、二次元に配置された各日付を示す複数の区画のうち、記録媒体に記録されている第２の分類である映像信号に対応した日付の区画に、静止画像信号と動画像信号とを識別するよう設定された形状のアイコンを表示する手段であってもよい。また、上記の第１の分類である映像信号の選択再生時には、代表画像に替えてタイトルを表示するようにしてもよい。
【００１４】
【発明の実施の形態】
次に、本発明の一実施の形態について図面と共に説明する。図１は本発明になる映像信号記録再生装置の一実施の形態のブロック図、図２は本発明の映像信号記録再生装置を中心とした映像信号記録再生システムの一例の概略システム図を示す。
【００１５】
本発明の一実施の形態の記録再生装置１は、図２に示すように、外部入力端子２、カードスロット３、赤外線受光部４、アンテナ入力端子５及び出力端子６を有しており、アンテナ入力端子５に接続されたアンテナ１８により、テレビジョン放送の映像信号が受信される。ここで、放送受信だけではなく、通信回線からの入力も設けて、近年普及しつつあるブロードバンドのインターネットサービスより映像信号が入手できるようにしてもよい。
【００１６】
また、外部入力端子２にセットトップボックスや、カメラ一体型レコーダなどの他の記録再生装置などから供給される映像信号が入力されることにより、この信号を記録することができる。また、出力端子６がディスプレイ１９に接続されており、このディスプレイ１９により受信画像、再生画像や操作画面などを表示する様にされている。
【００１７】
また、カードスロット３は、ＳＤカードやメモリースティックなどの半導体メディアの入ったカードが挿入されるもので、デジタルカメラで撮影した静止画が記録されたカードをこのカードスロット３に挿入することにより、記録再生装置１中の記録媒体（例えばハードディスク）にこの静止画を取り込んで記録することができる。更に、赤外線受光部４はリモートコントローラ（以下、リモコンと略記）２０からユーザーの操作に対応した信号が送信される赤外線を受信する。
【００１８】
次に、記録再生装置１の内部の構成について図１のブロック図と共に説明するに、アンテナ（図２の１８）で受信されたテレビジョン放送信号は、アンテナ入力端子５を介して受信手段７で選局及び信号処理して得られた映像信号と、外部入力端子２を介してセットトップボックスや、カメラ一体型レコーダなどの他の記録再生装置などから供給された映像信号とは、切換部８によりいずれか一方の映像信号が任意に選択されて記録信号処理部９に供給される。
【００１９】
記録信号処理部９においてＭＰＥＧ（Ｍｏｖｉｎｇ  Ｐｉｃｔｕｒｅ  Ｅｘｐｅｒｔｓ  Ｇｒｏｕｐ）等の高能率符号化や誤り訂正符号付加などの記録信号処理が適宜行われた映像信号は、必要に応じて日付情報などの付加情報が付加され、記録に適した信号形態に整えられた後、ハードディスクドライブ（ＨＤＤ）１０内のハードディスクに記録される。その他、カードスロット３を介して挿入されたメモリーカードに記録された静止画情報などもバス１７を介して記録信号処理部９に供給されてハードディスクへの記録に好適な形に整えられ、ＨＤＤ１０内のハードディスクに記録される。
【００２０】
映像信号の記録や消去に当っては、マイクロプロセッサ１１により、ＨＤＤ１０内のハードディスクに記録されている、記録内容を表す情報としてのＴＯＣ（Ｔａｂｌｅ  Ｏｆ  Ｃｏｎｔｅｎｔｓ）情報が改訂される。
【００２１】
ここで、図１には制御線は省略してあるが、アンテナ入力端子５からの信号を受信する受信手段７のチャンネル切換えおよび、切換部８のアンテナ入力か外部入力かの切換は、後述する方法でユーザーのリモコン操作を受けてマイクロプロセッサ１１が受信手段７および切換部８を制御することにより行われる。
【００２２】
ＨＤＤ１０内のハードディスクに記録された映像信号は、再生信号処理部１５に供給され、ここで誤り訂正やＭＰＥＧなどの符号化のデコードなどの再生信号処理が行われた後、切換／重畳部１６を経て出力端子６より出力される。記録再生装置１が電源は入っているが記録も再生も行っていないときは、受信手段７で受信しているテレビジョン放送の映像信号または外部入力端子２から入来する映像信号が出力される。
【００２３】
ここで、各種操作を行った時のユーザーヘのガイド情報（最も簡単には、チャンネルを切り換えると新しく受信しているチャンネルのチャンネル番号が受信画像に重畳されて表示される様なもの）などや、後述する再生時の再生情報選択画面（ナビ画面）の表示のために、マイクロプロセッサ１１により、適宜ＲＡＭ（ランダム・アクセス・メモリ）１２やＲＯＭ（リード・オンリ・メモリ）１３に蓄積された情報を用いて作成された映像情報が、キャラクタジェネレータ機能も含めて映像信号化部１４によりディスプレイでの表示に適した信号形態とされた後、切換／重畳部１６で、再生信号処理部１５からの再生映像信号と切り換えて出力されたり、再生映像信号に重畳されて出力される。
【００２４】
ユーザーの操作はリモコン２０により行われ、リモコン２０から送信されたリモコン信号が赤外線受光部４により受信された後、バス１７を通じてマイクロプロセッサ１１に送られる。マイクロプロセッサ１１は入力された受信リモコン信号に応じて、記録再生装置１の各部を制御する。マイクロプロセッサ１１の処理プログラムや処理用データはＲＯＭ１３に蓄えられており、ユーザーによる設定情報や、処理途中の情報はＲＡＭ１２に蓄えられる。ここで、次回の使用まで保存する必要のある情報は不揮発性ＲＡＭに蓄積し、一時的に蓄えれば良い情報はＤＲＡＭに入れる等、ＲＡＭ１２の種類を複数設けて使い分けてもよい。
【００２５】
なお、マイクロプロセッサ１１と接続されているバス１７はデータのやりとりにおいて主要なもののみ記されており、上記の受信手段７等、図１ではバスが書かれていない部分も含めた記録再生装置全体について、このマイクロプロセッサ１１が制御している。
【００２６】
図３はリモコン２０の一例の外観図を示す。一般に、リモコンは色々な操作ができる様に多くのボタンが装備されているが、図３では本発明に関係する一部のボタンのみを示している。図３において、中央部やや下のＰＬＡＹ、ＲＥＷ、ＦＦ、ＲＥＣ、ＳＴＯＰ、ＰＡＵＳＥと記された各種のボタン２１は、それぞれ再生、巻き戻し、早送り、記録、停止、一時停止用のボタンを表す。一般に、ビデオテープレコーダ等でよく用いられている操作ボタンである。ここで、よく行われる様に、記録については記録ボタンのみの操作では間違えて押したときにも記録動作が始まってしまうので、ＲＥＣボタンとＰＬＡＹボタンを同時に押して初めて録画動作が行われるようにされている。
【００２７】
また、＋と−の組のボタンからなるボタン２２はチャンネルボタンで、図４に示す様に、＋ボタンを押す毎に受信手段７で選択受信するチャンネルがｃｈ１、ｃｈ２、・・・と順次切換選択され、この選択されているチャンネルの受信信号が切換部８を介して記録信号処理部９に加えられる。このチャンネルボタン２２で選択できる様に設定された最後のチャンネルｃｈＮの次はＬＩＮＥ、すなわち外部入力端子２が選択される。このとき、図１の記録信号処理部９の前段の切換部８は外部入力端子２を選択するように切り換えられる。
【００２８】
なお、外部入力端子２を複数備える場合には、ＬＩＮＥの選択をさらにＬＩＮＥ１、ＬＩＮＥ２と順次切り換えられる様にすればよい。また、ＬＩＮＥの選択の後に＋ボタンを押すと、最初のチャンネルｃｈ１を選択する状態に戻る。また、チャンネルボタン２２の−ボタンを押すと、＋ボタンを押したときとは逆方向の順で記録信号処理部９に加える信号が切り換えられる。
【００２９】
また、図３において、「ナビ」ボタン２３は後に詳しく述べるが、再生する映像信号の選択などを行うための画面をディスプレイ上に表示するためのボタンである。また、ボタン２４は所望のサムネイルを検索したりするためのボタン、ボタン２５は、周辺の上下左右の４つのボタンのいずれかを押すと、その方向に画面上のサムネイルの選択位置を移動させるためのボタン、中央の円形のボタンはその選択を確定するためのＯＫボタンである。リモコン２０を操作すると、操作内容に応じたコードのリモコン信号が、赤外線発光部２６から赤外線の形態で送信される。
【００３０】
次に、記録および再生の操作およびその際の本実施の形態の記録再生装置の動作について説明する。なお、ディスプレイに表示された画面（カレンダー画面やサムネイル一覧画面等）を用いた操作もあるが、それらの画面についての詳細な説明は後に項目を分けて述べる。
【００３１】
［記録操作と動作］
以下に、この記録再生装置１により映像信号を記録する際の操作とその時の動作の例を述べる。図５はリモコン２０による操作のうち、ＨＤＤ１０上に異なる分類ＡおよびＢとして記録される２通りの記録操作の例をフローチャートの形で示したものである。
【００３２】
記録再生装置内のマイクロプロセッサ１１は、赤外線受光部４からの受信リモコン信号に基づいて、まず、図３に示したリモコン２０のボタン２１中のＲＥＣボタンとＰＬＡＹボタンが同時に押されたかどうかを判定し（ステップＳ１）、ＲＥＣボタンとＰＬＡＹボタンが同時に押されたことを検出すると、選択されているチャンネルの映像信号をＨＤＤ１０内のハードディスクに記録する（ステップＳ２）。
【００３３】
このとき、この映像信号は分類ＡとＢのうちの分類Ｂとして記録される。この「分類Ｂ」に属する映像信号は、再生時には後述する２つある再生選択画面のうちのサムネイル一覧画面で選択される。なお、ＲＥＣボタンとＰＬＡＹボタンとが同時に押された際に、チャンネルとしてＬＩＮＥが選択されていた場合は、外部入力端子を介して入力される映像信号が記録される。
【００３４】
分類ＡとＢの区別は、記録時にＴＯＣ情報中に記載しておいたり、記録する映像信号と共に付加情報として記録したり、或いはＨＤＤ１０内の映像信号の記録領域を２つに分割してそれぞれを分類Ａと分類Ｂに属する映像信号の専用記録領域とする等の方法により、区別することができる。
【００３５】
他方、マイクロプロセッサ１１は、ステップＳ１でＲＥＣとＰＬＡＹボタンが同時に押されたことが検出されないときは、リモコン２０で「ナビ」ボタン２３が押されたかどうか検出する（ステップＳ３）。「ナビ」ボタン２３が検出されなかったときには、他の操作が行われたか否かを検出し（ステップＳ４）、他の操作が行われたときにはその操作に応じた動作を行う。他の操作も行われていないときには、ステップＳ１に戻ってＲＥＣとＰＬＡＹボタンが同時に押されたかどうかの判定を再び行う。
【００３６】
マイクロプロセッサ１１は、ステップＳ３で「ナビ」ボタン２３が押されたことを検出したときには、前操作のナビ画面をディスプレイ１９に表示する（ステップＳ５）。ナビ画面には後述する様にカレンダー画面、サムネイル一覧画面などがあり、ユーザーの操作により選択できるようになっている。ここではナビ画面の表示を終えると、その時のナビ画面が何であるかを表す情報を記録再生装置内の不揮発性ＲＡＭ或いはＨＤＤ１０内に記録しておくこととし、今回の一つ前に表示したナビ画面が表示される。なお、ステップＳ５については最初はカレンダー画面が常に表示される等、特定の画面が最初に表示される様にしてもよい。
【００３７】
次に、この画面がカレンダー画面か否かが判定され（ステップＳ６）、カレンダー画面でない場合には、カレンダー画面への変更操作が行われたか否かが判定され（ステップＳ７）、カレンダー画面への変更操作が行われたときには、カレンダー画面をディスプレイ１９に表示する（ステップＳ８）。カレンダー画面への変更操作を検出しなかった（ステップＳ７）ときには、他の操作が行われたか否かを判定し（ステップＳ９）、他の操作が行われたときにはそれに応じた処理を行い、他の操作も行われなかった場合にはステップＳ６に戻る。
【００３８】
ステップＳ６でカレンダー画面であることが検出されたか、またはステップＳ８でカレンダー画面が表示されたときには、後述するカレンダー画面中の「ムービー取り込み」が選択指示されたか否かの検出を行う（ステップＳ１０）。「ムービー取り込み」が選択指示されたことが検出されたときには、外部入力端子２に入力された映像信号を分類ＡとしてＨＤＤ１０内のハードディスクに記録する（ステップＳ１１）。この「分類Ａ」に属する映像信号は、再生時には後述する再生選択画面のうちのカレンダー画面で選択される。なお、「ムービー取り込み」が選択された際の具体的な動作については後述する。
【００３９】
ステップＳ１０において「ムービー取り込み」の選択指示が検出されなかったときには、他の操作が行われたか否かの検出が行われる（ステップＳ１２）。他の操作が行われたときには、その操作に対応した動作を行う。この検出が行われなかった場合には、ステップＳ１０に戻り、「ムービー取り込み」の選択指示の検出動作を繰り返す。
【００４０】
ここで、カレンダー画面表示に関係する日付の情報の記録について述べる。日付の情報は、デジタルカメラにおいては一般的に記録される画像のファイルに対して付与されており、メモリーカード内に蓄積された静止画情報についてのその日付は付与されているので、これをＨＤＤに記録するときに読み込んで用いればよい。カメラ一体型レコーダにおいても、記録時において日付の情報を付加情報として記録するようにしておき、ＨＤＤに取り込むときにその情報も映像信号と同時にＨＤＤに取り込むことにすればよい。
【００４１】
カメラ一体型レコーダからの取り込みがアナログ映像信号で行われるときには、垂直帰線期間等に日付の情報を入れて送ることもできるものの、一般に日付情報は移転されない。このときにはＨＤＤに取り込んだ日付をプリセット日付情報として、記録時に映像信号の記録に先立って、或いは記録後に、ユーザーがこの日付情報を適宜変更できるようにしておけばよい。
【００４２】
以上、記録操作として、リモコン２０でＲＥＣボタンとＰＬＡＹボタンを同時に押した時と、カレンダー画面中の「ムービー取り込み」を選択指示した場合について説明したが、さらに記録を行う他の操作方法としては、リモコンでタイマー予約を行って、予約した時間がくれば自動的に記録が開始される方法や、デジタル放送において送られてくるＥＰＧ（エレクトロニック・プログラム・ガイド）情報を用いて番組予約を行うといった方法もある。
【００４３】
また、静止画についてはメモリーカードからの取り込みも行われる。これらについて、ユーザーが自分で撮影した映像などの場合には分類Ａとし、テレビジョン放送の番組などの場合は分類Ｂとして記録される。そして、ユーザーが再生したいときには、分類Ａとして記録された番組は選択画面Ａ（カレンダー画面）により選択され、分類Ｂとして記録された番組は選択画面Ｂ（サムネイル一覧画面）で選択される。それらをまとめて図６に示す。
【００４４】
［再生操作と動作］
次に、本実施の形態の再生操作と動作について説明する。図７は本発明になる映像信号記録再生装置の一実施の形態の再生操作法と動作の説明用フローチャートを示す。図５に示した操作と共通する操作に関するステップに関しては同一の符号が付けられている。図７において、再生する映像信号の選択はナビ画面にて行われるので、マイクロプロセッサ１１は図５の一部と同様のステップＳ３からステップＳ５により、ナビ画面の表示を検出する。次に、やはり図５の一部と同様のステップＳ６からステップＳ８の一連のステップにより、カレンダー画面の表示を検出する。
【００４５】
カレンダー画面でなく、カレンダー画面への変更操作も行われていないときには、マイクロプロセッサ１１は、サムネイル一覧画面か否かを検出する（ステップＳ２４）。サムネイル一覧表示画面でない場合には、サムネイル一覧画面への変更操作が行われたかを検出し（ステップＳ２５）、行われなかった場合には、他の操作が行われたか否かを検出する（ステップＳ２６）。他の操作が行われた場合には、その操作の処理を行い、他の操作も行われなかったときはステップＳ６に戻り、再びカレンダー画面であるか否か判定する。
【００４６】
ステップＳ６でカレンダー画面であることが検出されたか、ステップＳ８でカレンダー画面の表示が行われたときには、ディスプレイ１９にはカレンダー画面が表示されている。このとき、マイクロプロセッサ１１は、カレンダー中の日付の区画が選択指示されたか否かを検出する（ステップＳ２１）。
【００４７】
日付の区画の選択指示が検出されなかったときには、他の操作が行われたか否かを検出し（ステップＳ２２）、他の操作が行われた場合には、その操作の処理を行い、他の操作も行われなかったときはステップＳ２１に戻り、再びカレンダー中の日付の区画が選択指示されたか否かを検出する。ここで、図７には示していないが、ステップＳ２２での「他の操作」がサムネイル一覧画面への変更操作であった場合には、ディスプレイ１９にサムネイル一覧画面を表示し、後述のステップＳ２８以下の処理を行う。
【００４８】
一方、マイクロプロセッサ１１はステップＳ２１で日付の区画のうちの一つが選択指示されたことを検出したときには、その区画に相当する日付情報が付与されて記録された映像信号をＨＤＤ１０内のハードディスクから再生する（ステップＳ２３）。各日付にはカメラ一体型レコーダなどで記録された動画像映像信号と、デジタルカメラなどで撮影された静止画像映像信号の双方が入っていることもある。また、動画像または静止画像で複数の映像信号がこの日付で登録されていることもある。そこで、実際にはさらにこの日付の映像信号の中から所望のものを選択する画面が表示され、その中からユーザーの選択が行われる。この詳細は後にナビ画面の説明の所で説明する。
【００４９】
次に、ステップＳ２４でサムネイル一覧画面であることが検出されたか、ステップＳ２５においてサムネイル一覧画面への変更操作が行われてステップＳ２７においてサムネイル一覧画面の表示が行われたときには、ステップＳ２８に移り、サムネイルの一つが選択されたか否かを検出する。サムネイルの選択が行われなかったときには、他の操作が行われたか否かを検出し（ステップＳ２９）、他の操作が行われたときには、その操作に対応した処理が行われる。ここで、同図には示していないが、この「他の操作」がカレンダー画面への変更操作であった場合には、ディスプレイ１９にカレンダー画面を表示し、ステップＳ２１以下の処理を行う。ステップＳ２９において他の操作も検出しなかったときにはステップＳ２８に戻る。ステップＳ２８においてサムネイルの一つがユーザーの操作により選択指示されたときには．マイクロプロセッサ１１は、そのサムネイルが表す番組の映像信号をＨＤＤ１０内のハードディスクから再生してディスプレイ１９に表示させる（ステップＳ３０）。
【００５０】
［ナビ画面１  カレンダー画面］
次に、カレンダー画面について説明する。図８はナビ画面のうちのカレンダー画面の一例を示す。同図上方に４種の画面メニューのタブ３１〜３４があり、ここではデジタルカメラとカメラ一体型レコーダの絵のタブ３１が選択されており、これがカレンダー画面を表す。また、テレビジョン受像機の絵のタブ３２は、後述するサムネイル一覧表示画面を表し、ユーザーがこれを選択指示すると、カレンダー画面に代わってサムネイル一覧表示画面が表示される。
【００５１】
他に、ここでは、ＨＤＤにはオーディオのみの音楽情報も記録できるとして、それらの音楽情報の選択用画面のタブ３３、さらにはこの記録再生装置の操作に慣れてきたユーザーがより自分にとって使いやすいようにこの記録再生装置をカスタマイズするための操作画面のタブ３４が選択できるようになっている。これらの後の２つについては、本発明には直接関係がないので説明は省略する。
【００５２】
ここで、ナビ画面でのユーザーの選択指示は、例えば図３に示したリモコン２０のボタン２５の円形の周辺に配置された４つのキーが上下左右への移動を表し、これらのキーを押すことで画面上の選択されている項目が順次移動され、ある項目が選択されているときにその項目をユーザーが指示するときには、ボタン２５の中央の円形のＯＫボタンを押すようにすればよい。他にも、パーソナルコンピュータで多く用いられているマウスを用いたり、ノートパソコンで多く用いられているタッチタブレットをリモコン等に装備したり、また、ジョイスティックなどを用いるなど、ヒューマンインターフェイスとしては公知のものを適宜用いてもよい。
【００５３】
図８では、ある年月（ここでは２００２年１０月）のカレンダーが表示されている。ここで、カレンダー上の日付の所には、その日付が付与されたデジタルカメラ等で撮影した静止画像がある場合にはデジタルカメラを表すアイコン（視認用小画像）３５が表示され、その日付が付与されたカメラレコーダ等で撮影した動画像がある場合にはカメラレコーダを表すアイコン３６が表示される。それらの両方がある場合（２００２年１０月２、５、７、２６日）には、両方が表示される。これは、このカレンダーを表示する際に、ＨＤＤのＴＯＣ情報の内容を解析して、その日付が付与された映像信号を検索してカレンダーの各日付の所に表示すればよい。
【００５４】
ここで、カレンダーの各日付の所にその存在が表示されるのは、記録時に分類Ａとして記録された映像信号のみであって、分類Ｂとして記録されたテレビジョン放送番組等の映像信号についてはたとえその日に録画した番組があったとしても、ここにはその存在は表示されず、この画面を介した換作においては分類Ｂで記録された番組の再生は行えない。
【００５５】
図８では、前月への移動ボタン３７、次の月への移動ボタン３８、前の週への移動ボタン３９、次の週への移動ボタン４０が画面上に配置され、それらを選択指示することで表示するカレンダー部分を移動することができる。今月分のカレンダーを表示したいときには、左上の「今月へ」ボタン４１を選択指示することで行えるようにされている。カレンダーの下部の表示スペース４２には、操作法のガイドとなる文字が表示され、初心者でも無理なく使えるようにされている。例えば１０月２日が選択されているときには、「１０月２日の画像を見ます」と表示される。それで良ければユーザーはＯＫボタンを押すなどの確定操作を行えば、その操作が行える。
【００５６】
「想い出アルバム」のボタン４３は、カレンダーの日付からの選択以外にユーザーが選択指示できるボタンであり、ユーザーにとって重要な映像に関してここに画像内容などを登録して表示させる。画面上のこのボタン４３を直接選択指示することにより、その映像を簡単に読み出すことができる。ここで、月カレンダーの画面には５週間分の日付が表示されるので、「想い出アルバム」のボタン４３には、その５週間のうちのコンテンツを素材として、一連の想い出画像が順に並べられた静止画及び動画混在画像集を登録する。
【００５７】
月カレンダーの画面の面積が限られることから、登録できる「想い出アルバム」の数は限られ、例えば３つ〜４つ程度／５週間というように限定される。また、登録されている想い出アルバムが無い場合には、このボタン４３は画面に表示されない。ここで、月カレンダーの月を変えたり、週を変えたりすると、それに連動して別な想い出アルバムのリストが現われる。
【００５８】
例えば、図８では、９月２９日から１１月２日までの日付けが表示されているが、その期間に「開始日」を持つ想い出アルバムがボタン４３として現われる。ここでは、表示される想い出アルバムは「９月２９日  誕生日」、「１０月５日〜７日  家族旅行」、「１１月２日〜３日  文化祭」である。ここで、１週間分だけ前の週にスクロールしたとすると、カレンダーの欄には９月２２日〜１０月２６日までの日付けが表示される。すると、「９月２９日  誕生日」と「１０月５日〜７日  家族旅行」は、表示されているカレンダーの日付範囲内であるので、想い出アルバムの欄に表示されるが、「１１月２日〜３日  文化祭」はそうではないので消えてなくなる。代わりに、例えば「９月２３日  実家にて」などが想い出アルバムの欄に現われる。勿論、それらのボタンは日付順に上からソートされて並ぶ。
【００５９】
また、「新しいアルバム」ボタン４４は、この「想い出アルバム」に新しい映像信号を登録するための画面へ移行するためのものである。「想い出万華鏡」ボタン４５は、複数の静止画像を短時間ずつランダムに表示したり、複数の動画像を数秒間といった短時間ずつ表示したりして、ユーザーがそれを眺めて楽しめる様にするものである。これらについての詳細は省略する。「整理する」ボタン４６は、その隣にＨＤＤ内で分類Ａの情報を記録し得る残量が動画像については記録時間、静止画像については枚数で表示されているが、ユーザーはこの表示を見て残量が少ないと考えると、この「整理する」ボタン４６を選択指示することにより、消去操作画面へ移行することができる。具体的画面については省略するが、記録されている分類Ａに属する映像信号のリストが表示され不要なものについてユーザーが選択確定操作を行うことにより、削除が行われ、その情報を記録していた領域が以降の記録のために開放される。これはこの削除操作の時点でＨＤＤ内のこの情報を物理的に消去するとは限らないが、ユーザーから見ると消去されたのと同等である。
【００６０】
図８のカレンダーの上に「ムービー取り込み」のボタン４７があるが、これを選択指示し、図９に示すムービー取り込み画面を利用して外部入力端子からの映像信号をＨＤＤに記録する様に指示することが、図５のステップＳ１０で述べた「ムービー取り込み」の指示に相当する。この「ムービー取り込み」のボタン４７が選択指示されたときには、例えば図９に示す様なムービー取り込み用画面がディスプレイ１９に表示される。
【００６１】
図９において、画面は左側にソースの小画像５１およびソース側の操作ボタン５２〜５５が配置され、画面の右側にＨＤＤ側の操作ボタン５６〜５９が配置されている。ソースとなるカメラ一体型レコーダなどの再生装置と本発明の記録再生装置とは、例えばＩＥＥＥ１３９４の様なデジタルインターフェイスで接続されており、本発明の映像信号記録再生装置側からソース機器にコマンドを発して動作が操作できるものとする。
【００６２】
ソース側の操作ボタン５５中のＰＬＡＹ、ＲＥＷなどのボタンを選択指示することにより、ソース機器を制御し、ソース機器から再生される映像信号が小画像５１として表示される。これをユーザーが見ながら、「ここから」ボタン５２と「ここまで」ボタン５３を選択指示することで、ＨＤＤへの取り込みの開始点と終了点が決定される。その後、ＨＤＤ側のボタン「ＲＥＣ」５６を選択操作すると、「ここから」ボタン５２で指定した箇所から「ここまで」ボタン５３で指定した箇所までについてＨＤＤにダビングが行われる。「ここから」ボタン５２による指定と「ここまで」ボタン５３による指定は、キャンセルボタン５４により取り消すことができる。
【００６３】
「ここから」ボタン５２が指定されなかったときにはソースが現在再生している画像が記録され、「ここまで」ボタン５３が指定されなかったときには、ＨＤＤ側のボタン「ＰＡＵＳＥ」５７や「ＳＴＯＰ」５８が選択指示されるまで記録を続ける。「名前を付ける」ボタン５９は、現在記録中または直前に記録した映像信号について、タイトルを付加する操作画面（説明は省略）へ移行するためのものである。右下の「終了」ボタン６０を選択指示することにより、図８のカレンダー画面に戻る。
【００６４】
なお、デジタルカムコーダーからＨＤＤにダビングする際、タイムコードをモニタしておき、その不連続点を検出するなどの手段により、二つの動画ファイルに自動で切り分けることができる。これによって、ひとつながりの連続したカットだけを一つの動画ファイルとして取り込むことができる。こうしておけば、再生時は、リモコンのスキップボタン（図３には図示せず）を使って、次のカットへ飛ぶことができる。これは、丁度ＤＶＤのチャプタ送りに類似した使い勝手となる。
【００６５】
なお、記録を行うための操作法は図９の例に限らず、入力はデジタルかアナログか等、どの様なものを対象とするか、ユーザーの操作のしやすさ等により適当なものを採用すればよい。
【００６６】
次に、カレンダー画面からの分類Ａに属する映像信号の再生操作について説明する。図８に示したカレンダー表示の中のある日付の一つが選択指示されると、例えば図１０の様な画面がディスプレイに表示される。図１０は図８の１０月２６日を選択指示したときのものであるが、この日にはデジタルカメラで撮影した静止画とカメラレコーダで撮影した動画が両方存在するので、図１０において静止画を表す左側の小画像表示領域６１と、動画を表す右側の小画像表示領域６２の両方に画像が表示されている。小画像表示領域６２には動画像から選ばれた代表静止画像が表示される。
【００６７】
選択指示した日付に、静止画及び動画のどちらか一方が存在しない場合は、存在しない方の画像を表す小画像表示領域６１又は６２には映像が存在しない旨を示すメッセージが表示される。左側の静止画像の小画像表示領域６１が選択指示されると、その日の最初の静止画が表示され、次の画像へ送る所定の操作を行うと次の画像が表示される。右側の動画像の小画像表示領域６２を選択指示すると、その日の動画像の内の最初の代表静止画像が表示される。その日の動画像が複数ある場合には、次へ送るための所定の操作を行うと、次の動画像の代表静止画像が表示される。
【００６８】
ここで、静止画像や動画像の小画像の選択指示により、その日の静止画像や動画像を代表する画像がサムネイルで一覧表示されてその中から選択する様にしてもよい。図１０の日付のテキスト表示の両脇には、「前の日」ボタン６３および「次の日」ボタン６４が配置されているが、これらを選択指示することにより、今表示している日付よりも前或いは後で、静止画像または動画像のうち少なくともいずれか一方が存在する日に関するこの画面が表示される。画面左上の「月カレンダーへ」ボタン６５を選択指示すると、図８のカレンダー画面に戻る。
【００６９】
この様に、図８の画面により、分類Ａの映像信号に関して、記録、再生、削除（ユーザーから見ると消去に相当）の全てを行うことが可能である。整理すると図１１の様になる。
【００７０】
［ナビ画面２  サムネイル選択画面］
次にナビ画面の中のサムネイル選択画面について説明する。図１２はナビ画面のうちのサムネイル画面の一例を示す。同図上方に４種の画面メニューのタブ３１〜３４があり、ここではタブ３２が選択されており、これがサムネイル画面を表す。このサムネイル画面をディスプレイに表示させて操作することにより、分類Ｂとして記録された映像信号について、再生のための選択が行われる。分類Ａとして記録された映像信号については、ＨＤＤ上に存在してもここにはサムネイルとして表示されず、このサムネイル選択画面を介した操作においては分類Ａで記録された映像信号の再生は行えない。
【００７１】
図１２において、右側の９枚の小画像（サムネイル）が、記録したＴＶ番組等のサムネイルを表す。ここでは９枚が表示されているが、スクロールボタン７５を操作してさらに上下への移動を行うことにより、この前後の番組のサムネイルが表示される。今、右上のサムネイル７１が選択されており、このサムネイル７１の周辺が濃く表示されている。この選択は、リモコン２０の４方向のボタン（図３の２５）を押すことにより、上下左右に移動する。そして、リモコン２０のＯＫボタンを押すことにより、この選択が確定し、その内容が再生される。
【００７２】
９個のサムネイルの上の表示領域７２には、今選択されているサムネイル７１の番組の情報として、ここでは記録日時、チャンネル、記録モード（同図では「ＥＰ」）、タイトル（ここでは「ＲＵＮＮＩＮＧ」）が表示される。９個のサムネイルの表示順は、記録日時順、ジャンル順、タイトル順などが考えられる。
【００７３】
ここで、記録日時順であったとしても、単に順番に並べただけであって、図８の様に、カレンダー状に配置された日付を表す領域に記録された映像信号が割り付けられているわけではない。従って、記録を行っていない日があっても、また、逆に同一日に複数の記録を行ったとしても、記録日時順の場合はサムネイルは日時が早いもの順に並べて表示されるので、９個のサムネイルの表示粋が日付に対応しているわけではない。
【００７４】
図１２の画面例の左側にある小画像７３は、現在放送中または直前に再生していた映像であり、再生選択操作中においてもユーザーはこの小画像で映像を見ることができる。小画像７３の下の表示領域７４には、リモコン２０のボタンの使用法の説明を表示してユーザーの便宜を図っている。
【００７５】
なお、図１２には特に記してはいないが、「編集」（タイトルやジャンルの付加や変更など）、「削除」などのボタンを画面上に設けて、それらを選択し確定操作を行うことにより、それらを行う画面に移行する様にするとよい。
【００７６】
このように、本実施の形態によれば、特にハードディスクレコーダの様な、テレビジョン放送番組などのコンテンツと、カメラレコーダやデジタルカメラで撮影した映像信号の両者を保存することができ、適宜選択して再生することが可能な記録再生システムにおいて、カメラレコーダで撮影された画像を記録したものか、内蔵受信部やセットトップボックス等で得たテレビジョン番組を記録したものかを区別して記録し、それぞれに適した操作法で所望の映像信号を選択して再生を行うことができる。
【００７７】
特に、撮影者にとって日付が重要な意味を持つ場合も多い（例えば、誕生日、旅行など）カメラレコーダやデジタルカメラにより撮影した映像は、カレンダー状に表示された区画に映像信号の存在を示す選択方法を行い、撮影画像を見つけやすくし、テレビジョン番組の録画に関してはサムネイルを順に表示した中から選択するという様に、それぞれにおいてユーザーに分かりやすい再生選択方法を与えることができる。
【００７８】
なお、本発明は以上の実施の形態に限定されるものではなく、例えば、記録する映像信号を分類Ａ、Ｂ、Ｃの３種類に分類し、分類Ｃで記録した映像信号は、画像内容をタイトルや概略内容をテキストで一覧表示するなどとすることも可能である。この場合、各映像信号に対応するタイトルは、ＥＰＧにより取得したデータをそのまま利用してもよいし、また、ユーザーにより入力されるデータを用いるようにしてもよく、このタイトル一覧の中から所望のタイトルを選択指示することにより、そのタイトルに対応した所望の番組の映像信号を再生することができる。また、ディスプレイ１９は記録再生装置１の外部に接続されたものに限らず、記録再生装置１に内蔵されていてもよい。
【００７９】
【発明の効果】
以上説明したように、本発明によれば、第１の分類の映像信号の選択再生時にはその各映像信号の代表画像を、内蔵又は外部に接続された表示装置に一覧表示させて、その中の任意の代表画像を選択指示し、第２の分類の映像信号の選択再生時には、複数の日付を示す複数の区画が配置された画像を上記の表示装置に表示させて、複数の区画のうち任意の日付の区画を選択指示することにより、複数の記録映像信号の中から容易に選択再生ができるようにしたため、日付が重要な意味を持つ場合も多いカメラレコーダやデジタルカメラにより撮影した映像信号等の映像信号は、カレンダー状に表示された区画に映像信号の存在を示す選択方法を行い、撮影画像を見付け易くでき、テレビジョン番組の映像信号などの日付が重要な意味を持たない映像信号に関してはサムネイルを順に表示した中から選択するという様に、それぞれにおいてユーザーに分かりやすい再生選択方法を与えることができ、選択操作の操作性を向上できる。
【図面の簡単な説明】
【図１】本発明の映像信号記録再生装置の一実施の形態のブロック図である。
【図２】本発明の映像信号記録再生装置を有する記録再生システムの概略システム図である。
【図３】リモコンの一例を示す図である。
【図４】リモコンの＋ボタンを押す毎に図１の記録再生装置が受信するチャンネルが切換選択されることを示す図である。
【図５】本発明の一実施の形態の記録操作時の動作説明用フローチャートである。
【図６】本発明装置による記録操作と記録時の分類と再生時の選択方法とをまとめて示す図である。
【図７】本発明の一実施の形態の再生操作時の動作説明用フローチャートである。
【図８】本発明装置によるナビ画面のうちのカレンダー画面の一例である。
【図９】ムービー取り込み用画面の一例である。
【図１０】カレンダー画面の中である日付の一つが選択指示されときの表示画面の一例である。
【図１１】本発明装置においてカレンダー画面表示により選択された項目と次の動作と目的をまとめて示す図である。
【図１２】本発明装置によるナビ画面のうちのサムネイル選択画面の一例である。
【符号の説明】
１  映像信号記録再生装置
２  外部入力端子
３  カードスロット
４  赤外線受光部
５  アンテナ入力端子
６  出力端子
７  受信手段
８  切換部
９  記録信号処理部
１０  ハードディスクドライブ（ＨＤＤ）
１１  マイクロプロセッサ
１２  ランダム・アクセス・メモリ（ＲＡＭ）
１３  リード・オンリ・メモリ（ＲＯＭ）
１４  映像信号化部
１５  再生信号処理部
１６  切換／重畳部
１９  ディスプレイ
２０  リモコン
２３  「ナビ」ボタン
２６  赤外線発光部
【図１】
2004297649.tif 000003
【図２】
2004297649.tif 000004
【図３】
2004297649.tif 000005
【図４】
2004297649.tif 000006
【図５】
2004297649.tif 000007
【図６】
2004297649.tif 000008
【図７】
2004297649.tif 000009
【図８】
2004297649.tif 000010
【図９】
2004297649.tif 000011
【図１０】
2004297649.tif 000012
【図１１】
2004297649.tif 000013
【図１２】
2004297649.tif 000014